(57)【要約】 【課題】  簡単な構造で確実にスパウトやシャワーヘッドの水平回動位置を固定できる構造を提供する。【解決手段】  １枚の環状板バネ３２の弾発力によって２個のスチールボール３１はその一部が凹部４０の窓４０ａから径方向内方に突出し、環状受け部材２８の外周面に形成した凹部３３に嵌り込み、その位置を維持する。この状態からスパウト２４を水平方向に動かすために力を加えると、内側継手２９を介して環状ケース３０に回動力が伝達され、その力がスチールボール３１を径方向内方に押圧している環状板バネ３２の弾発力に打ち勝った時点でスパウト２４は回動する。そして、所定の位置で手を離すことで、再びスチールボール３１は別の凹部３３に嵌り込んでその位置が固定される。【選択図】        図３
2006257740.tif 000002
【特許請求の範囲】
【請求項１】
吐水口を備えるスパウトが台座から引き出し可能とされた吐水装置であって、前記スパウトは台座に対し昇降動可能とされた支持管の上端部に取り付けられ、この支持管と前記スパウトとの間に回動抵抗機構を設け、前記スパウトは回動抵抗機構を介して水平面内で回動可能に支持されていることを特徴とする吐水装置。
【請求項２】
請求項１に記載の吐水装置において、前記回動抵抗機構はスパウトと一体的に回動する回動側部材と、この回動側部材と対向する固定側部材とからなり、回動側部材はボールを保持する環状ケースと、この環状ケースの内周面に形成した窓からボールの一部を径方向内方に突出させる方向に付勢する１個の環状板バネとを備え、前記固定側部材は環状ケースの内周面に形成した窓から突出したボールの一部が嵌合する凹部を備えていることを特徴とする吐水装置。
【請求項３】
請求項２に記載の吐水装置において、前記回動側部材はクリップにて固定側部材に係止されていることを特徴とする吐水装置。
【請求項４】
請求項１乃至請求項３の何れか１項に記載の吐水装置において、前記支持管の下端には継手が取り付けられ、この継手の外周には周方向溝が形成され、この周方向溝には前記台座内周に形成した段部に係止して支持管の高さ位置を固定する止め輪が装着されていることを特徴とする吐水装置。
【発明の詳細な説明】
【技術分野】
【０００１】
本発明は、スパウトを上下方向などに引き出し（昇降）可能とした吐水装置に関し、特にスパウトの回動に抵抗を持たせて所定の回動位置で停止させることができるようにした吐水装置に関する。
【背景技術】
【０００２】
吐水装置のスパウトを回動可能とし、所定の回動位置で停止した状態を維持できるようにして使い勝手を良くしたキッチンや洗面化粧台の吐水装置が、特許文献１〜４に提案されている。尚、各特許文献の説明においては、分かりやすくするため部材名を本願明細書に用いる部材名に統一して説明する。
【０００３】
特許文献１に開示される吐水装置は、カウンターに台座を取り付け、この台座にシャワーヘッドを支持する支持管を上下方向に摺動自在で且つ水平方向にも回動可能に保持し、更に支持管の周方向に複数の凹部を設け、この凹部に台座側に設けたスチールボールを嵌合せしめることで所定の回動位置で停止できるようにしている。
【０００４】
特許文献２に開示される吐水装置は、天板に台座（ホルダー）を固定し、この台座内に上端部でシャワーヘッドを支持する支持管（継手管）を上下摺動自在で且つ水平方向にも回動可能に保持し、前記台座内に支持管と一体的に回動するリング部材を設け、このリング部材にスプリングで付勢されるスチールボールを保持し、スチールボールを台座に形成した凹部に嵌め込むことでシャワーヘッドを所定の回動位置で停止できるようにしている。
【０００５】
特許文献３に開示される吐水装置も、基本的な構成は特許文献１と同様であり、スチールボールの代わりに弾性片を用い、支持管（スライド管）の周方向に形成した溝に弾性片の凸部を係合することで、高さ方向の位置決めを行い、支持管（スライド管）の周方向に複数個形成した凸部を弾性片の間に嵌め込むことで、支持管（シャワーヘッド）を所定の回動位置で停止できるようにしている。
【０００６】
特許文献４に開示される吐水装置も、基本的な構造は特許文献３と同様に回動体に設けた係合突起を台座側の部材となる内筒部に形成した凹部に係合せしめて回動位置を規制し、また、支持管（継手管）に形成する周方向の溝を支持管の長さ方向に沿って複数本とすることで、高さ位置の調整を複数段で行えるようにしている。
【特許文献１】実開昭６４−４２３６７号公報
【特許文献２】特開平９−２６８６１４号公報
【特許文献３】特開２００１−３２３４２号公報
【特許文献４】特開２００４−１００４０５号公報
【発明の開示】
【発明が解決しようとする課題】
【０００７】
特許文献１に開示される吐水装置にあっては、スチールボールによって支持管の高さ位置の固定と、水平方向の固定の両方を行うようにしている。その結果、シャワーヘッドを所定位置まで上昇或いは下降させる際にも常に回動抵抗を与えるスチールボールによる抵抗を受けてしまい、抵抗感少なくスムーズに支持管（シャワーヘッド）を昇降動させることができない。
【０００８】
特許文献２に開示される吐水装置にあっては、先ず機構が極めて複雑で故障しやすいという欠点がある。更に特許文献１と同様に、シャワーヘッドを回動させるさいに支持管も一体的に回動し、その回動を支持する箇所が台座の内側となるため、シャワーヘッドから大きく離れた位置で回動を支持するため、不安定で無理な力が少しでも作用すると破損してしまう。
【０００９】
特許文献３に開示される吐水装置も特許文献１と同様に、支持管の上昇或いは下降させる際にも常に回動抵抗を与える弾性片の抵抗を受けてしまい、抵抗感が大きい。また支持管自体もシャワーヘッドと一体に回動するため、回動する部材が多くなり操作性が不安定になる。
【００１０】
特許文献３に開示される吐水装置も、支持管（継手管）が昇降動する際には、回動抵抗を与える係合突起（弾性片）が支持管に当接しているため、摺動抵抗が大きくなり、スパウトの昇降動に伴う抵抗が大きくなる。
【課題を解決するための手段】
【００１１】
上記課題を解決するため請求項１に係る発明は、吐水口を備えるスパウトが台座から引き出し可能とされた吐水装置であって、前記スパウトは台座に対し昇降動可能とされた支持管の上端部に取り付けられ、この支持管と前記スパウトの間に回転抵抗機構を設け、前記スパウトは回動抵抗機構を介して水平面内で回動可能に支持されている構成とした。
【００１２】
上記構成によれば、スパウトを引き出す（昇降動）際に、回動抵抗を付与する部材は摺動抵抗を発生させないため、引き出し（昇降動）をスムーズに行うことができる。
【００１３】
前記回動抵抗機構としては、請求項２に記載するように、スパウトと一体的に回動する回動側部材と、この回動側部材と対向する固定側部材とからなり、回動側部材はボールを保持する環状ケースと、この環状ケースの内周面に形成した窓からボールの一部を径方向内方に突出させる方向に付勢する１個の環状板バネとを備え、前記固定側部材は環状ケースの内周面に形成した窓から突出したボールの一部が嵌合する凹部を備えた構成とすることが考えられる。
【００１４】
上記構成とすることで、ボール１個に対して１個のスプリングを配置した構成などと比較し、構造が大幅に簡略化され、コンパクトにでき、そのため、本回動抵抗機構を設けたスパウト外観もコンパクトにできる。
【００１５】
また、請求項３に記載するように、前記回動側部材をクリップにて固定側部材に係止するようにしてもよい．このようにすることで、連結継手などの回動側部材の抜止めを簡単な構造で図ることができ、簡単に分解できるので、内部の摩耗部品の取換えなども容易に行えるようになる。
【００１６】
更に、請求項４に記載するように、前記支持管の下端に継手が取り付け、この継手の外周には周方向溝を形成し、この周方向溝に前記台座内周に形成した段部に係止して支持管の高さ位置を固定する止め輪を装着する構成としてもよい。
このようにすると、支持管を固定しスパウトに抵抗を与えながら回転させることができる。このように、支持管を回動させず、スパウトを回動させる構成とすれば、回動支持の箇所がスパウト内に設けられることになり、安定した回動が可能となる。
【発明の効果】
【００１７】
本発明に係る吐水装置によれば、スパウトの引き出し（昇降動）に抵抗を与えることなく、所定の位置にスパウトを回動させて停止する回動抵抗機構を組み込むことができる。
また、本発明の回動抵抗機構は、従来のようにスチールボール１個に対してボールを付勢するスプリング１個を配置するものではなく、全てのボールを１個の環状板バネで押える構造なので、構造が単純であり部品点数も従来構造に比較して少ないため、コンパクト化できる。
【発明を実施するための最良の形態】
【００１８】
以下に本発明の実施の態様を添付図面に基づいて説明する。図１は本発明に係る吐水装置の全体図、図２は同吐水装置の要部の断面図、図３は回動抵抗機構を組み込んだ部分の拡大縦断面図、図４は回動抵抗機構を組み込んだ部分の拡大縦断面図、図５は回動抵抗機構を構成する部材の分解図、図６はクリップによる抜止めを説明した図である。
【００１９】
吐水装置はカウンター（天板）１に湯水混合水栓２と吐水ユニット１０を備えている。
湯水混合水栓２は湯供給管３、水供給管４、湯と水の混合割合を調整するとともに混合湯水の供給のオン・オフを行うハンドル５及び吐水ユニット１０へ混合湯水を供給するフレキシブル管６からなる。
【００２０】
吐水ユニット１０はカウンター（天板）１に取付孔１１が形成され、この取付孔１１に上方から台座１２を挿入して固定している。即ち、台座１２は上端にフランジ部１２ａを有し、外周に雄ネジ部１２ｂが形成されており、取付孔１１の上部外周に嵌め込んだパッキン１３上に前記フランジ部１２ａの下面が当接するように取付孔１１に台座１２を挿入し、下方からパッキン１４を介してナット１５の雌ネジ部１５ａを前記雄ネジ部１２ｂに螺合して締付けることで、台座１２が固定される。
【００２１】
前記台座１２内には支持管１６が挿通している。この支持管１６の下端には略筒状をなす継手１７が抜止め部材１８を介して取り付けられ、支持管１６の外周面には周方向溝部１９が形成され、この周方向溝部１９には止め輪（スプリング）２０が嵌合している。
【００２２】
前記止め輪２０は略楕円形状をなすことで、装着状態においてその一部が前記周方向溝１９から径方向外側に突出している。したがって、図２に示す状態よりも支持管１６が下方位置にある状態から、支持管１６を上昇させてくると、止め輪２０の周方向溝部１９から食み出た部分（長径部分）が台座１２の下端内周の雌テーパ面によって縮径され、更に上昇すると台座１２に形成した段部２１を乗り越えて係止し高さ位置が固定される。
【００２３】
また、前記台座１２は台座キャップ２２でカバーされ、この台座キャップ２２には前記支持管１６の外周面を抱持するガイド筒２３が設けられ、支持管１６はガイド筒２３の内周面に摺接しつつ昇降動可能とされている。
【００２４】
また、前記支持管１６の上端部にはスパウト２４が取り付けられ、スパウト２４の先端下面には吐水口２５が設けられ、支持管１６内には前記フレキシブル管６に接続された通水管２６が配置され、この通水管２６は前記吐水口２５につながっている。このスパウト２４は図１に示すように、支持管１６と一体的に昇降動可能で、また支持管１６とは独立して水平方向に回動可能とされている。
【００２５】
本発明はスパウト最上昇時と最下降時の２段固定であるが、支持管１６とスパウト２４が独立してなければ回転抵抗機構が２箇所必要となるが、本発明のように独立していれば１箇所で済み、部品点数も減らせ、全体の構造も簡略化できる。
【００２６】
前記支持管１６の上端部にはスパウト２４の水平方向の回動に抵抗を与えて所定の回動位置で停止せしめる回動抵抗機構Ｍを設けている。この回動抵抗機構Ｍは固定側部材と回動側部材とからなり、本実施例にあっては、固定側部材は外側継手２７と環状受け部材２８とからなり、回動側部材は内側継手２９、環状ケース３０、スチールボール３１及び環状板バネ３２とからなる。
【００２７】
前記外側継手２７は支持管１６の上端部内側面に形成した雌ネジ部１６ａに雄ネジ部２７ａを螺合することで支持管１６に固定され、前記環状受け部材２８は外側継手２７の上端部外側面に形成した雄ネジ部２７ｂに雌ネジ部２８ａを螺合することで外側継手２７に固定される。
【００２８】
環状受け部材２８は上半部を小径、下半部を大径としており、小径の上半部外周面に前記スチールボール３１が嵌り込む凹部３３が形成され、大径の下半部内周面には、スパウト２４を最下端まで下降させた際に、台座１２に設けた凸部と係合して水平方向の回動を阻止するスプライン３４が形成されている。
【００２９】
前記内側継手２９はガタ防止リング３５，３６を介して外側継手２７内に回動自在に配置されている。ガタ防止リング３５，３６を設けることによってスパウト２４の上下方向ガタを抑えている。この内側継手２９は上端にフランジ部２９ａが形成され、このフランジ部２９ａにビス３７を用いて通水管台座３８を固着している。また、内側継手２９と通水管２６との間には発泡パッキン３９を配置し通水管１６内への水の浸入を防止している。
【００３０】
前記内側継手２９と環状受け部材２８との間には、前記環状ケース３０が配置されている。この環状ケース３０には周方向において対向する２箇所に凹部４０が形成され、各凹部４０にスチールボール３１が収納され、この凹部４０は環状ケース３０の内周面にスチールボール３１よりも若干小さな窓４０ａを有しており、スチールボール３１の一部がこの窓４０ａから突出した状態となっている。
【００３１】
また、環状ケース３０の上面には凸部３０ａが形成され、この凸部３０ａが前記内側継手２９のフランジ部２９ａに形成した切欠２９ｂに係合することで、内側継手２９と一体的にケース３０が回動する。
【００３２】
一方、環状ケース３０の外周にはＣ型をなす環状板バネ３２が装着されている。また環状ケース３０の外周の一部には環状板バネ３２の開端部を位置決めする凸部４１が形成されている。従来のように、ボール１個々に対してスプリング部材を設ける構造に比べて、本発明では全てのボールを環状板バネ３２で押え付けることができるため部品点数も減り、コンパクトな構造にできる。
【００３３】
また、図６に示すように、前記内側継手２９の内側には上方からクリップ５０が挿入され、このクリップ５０の下端部を外側への折曲部５１とし、この折曲部５１を前記内側継手２９の下端部に形成した孔５２を貫通して外側に突出させ、前記外側継手２７の下端に係止させている。この構造により内側継手２９が上方に抜けることを防いでいる。
【００３４】
また、回動抵抗機構を構成する部品の取換えなどを行う際には、スパウトカバー２４を外し、クリップ５０をラジオペンチ等で摘んで折曲部５１が孔５２から抜けるまで撓ませれば内側継手２９は上方に抜け、回動抵抗機構部品を取り出すことができる。このような容易な作業でメンテナンスができる構造としている。
【００３５】
以上において、環状板バネ３２の弾発力によってスチールボール３１はその一部が凹部４０の開口から径方向内方に突出し、環状受け部材２８の外周面に形成した凹部３３に嵌り込み、その位置を維持する。
【００３６】
次いで上記の状態からスパウト２４を水平方向に動かすために力を加えると、内側継手２９を介して環状ケース３０に回動力が伝達され、その力がスチールボール３１を径方向内方に押圧している環状板バネ３２の弾発力に打ち勝った時点でスパウト２４は回動する。そして、所定の位置で手を離すことで、再びスチールボール３１は別の凹部３３に嵌り込んでその位置が固定される。
【００３７】
図７は別実施例を説明した図であり、この参考例にあってはスパウト４５からシャワーヘッド４２を引き出し可能としている。シャワーヘッド４２の基端部には環状ケース３０、スチールボール３１及び環状板バネ３２を配置している。また、スパウト４５の先端部にはシャワーヘッド４２の基端部が装着されるパイプ部４３を設け、このパイプ部４３の外周に、前記スチールボール３１が嵌り込む凹部３３を形成している。
【００３８】
この実施例の場合には、スパウト４５にシャワーヘッド４２を差し込んだ状態で、スチールボール３１が凹部３３に嵌り込んでおり、シャワーヘッド４２を軸廻りに回動させ、その位置を維持することができるとともに、シャワーヘッドに手が当たった場合や勢いよく吐水させたときに、容易にシャワーヘッドの向きが変わり、思わぬ方向に水が飛んでしまうことを防止できる。
【００３９】
図８（ａ）は更なる参考例の正面図、（ｂ）は同参考例の平断面図、（ｃ）は同参考例の縦断面図である。この参考例にあっては壁などに固定されるフック４４を台座としており、フック４４内にスチールボール３１とこれを押圧する板バネ３２を設け、シャワーヘッド４２に前記スチールボール３１が嵌り込む凹部３３を形成している。
【００４０】
この実施例の場合も図７で示した参考例と同様に、フック４４にシャワーヘッド４２を差し込んだ状態では、スチールボール３１が凹部３３に嵌り込んでおり、シャワーヘッド４２を軸廻りに回動させ、その位置を維持することができるとともに、シャワーヘッドに手が当たった場合や勢いよく吐水させたときに、容易にシャワーヘッドの向きが変わり、思わぬ方向に水が飛んでしまうことを防止できる。
【産業上の利用可能性】
【００４１】
本発明に係る高さ固定構造は、キッチンや洗い場においてスパウトやシャワーヘッドを所定の回動位置に一時的に固定する際と、吐水ヘッドを横に傾けた状態で使う場合に吐水勢いの反動によってスパウト或いはシャワーヘッドが自回転しようとするのを防止することに利用することができる。
【図面の簡単な説明】
【００４２】
【図１】本発明に係る吐水装置の全体図
【図２】同吐水装置の要部の断面図
【図３】回動抵抗機構を組み込んだ部分の拡大縦断面図
【図４】回動抵抗機構を組み込んだ部分の拡大縦断面図
【図５】回動抵抗機構を構成する部材の分解図
【図６】クリップによる抜止めを説明した図
【図７】別実施例を説明した図
【図８】（ａ）は更なる別実施例の正面図、（ｂ）は同別実施例の平断面図、（ｃ）は同別実施例の縦断面図
【符号の説明】
【００４３】
Ｍ…回動抵抗機構
１…カウンター（天板）、２…湯水混合水栓、３…湯供給管、４…水供給管、５…ハンドル、６…フレキシブル管、１０…吐水ユニット、１１…取付孔、１２…台座、１２ａ…フランジ部、１２ｂ…雄ネジ部、１３，１４…パッキン、１５…ナット、１５ａ…雌ネジ部、１６…支持管、１６ａ…雌ネジ部、１７…継手、１８…抜止め部材、１９…周方向溝部、２０…止め輪、２１…段部、２２…台座キャップ、２３…ガイド筒、２４…スパウトカバー、２５…吐水口、２６…通水管、２７…外側継手、２７ａ…雄ネジ部、２７ｂ…雄ネジ部、２８…環状受け部材、２８ａ…雌ネジ部、２９…内側継手、２９ａ…フランジ部、３０…環状ケース、３１…スチールボール、３２…環状板バネ、３３…スチールボールが嵌り込む凹部、３４…スプライン、３５，３６…シールリング、３７…ビス、３８…通水管台座、３９…発泡パッキン、４０…スチールボールを収納する凹部、４０ａ…窓、４１…凸部、４２…シャワーヘッド、４３…パイプ部、４４…フック、５０…クリップ。
【図１】
2006257740.tif 000003
【図２】
2006257740.tif 000004
【図３】
2006257740.tif 000005
【図４】
2006257740.tif 000006
【図５】
2006257740.tif 000007
【図６】
2006257740.tif 000008
【図７】
2006257740.tif 000009
【図８】
2006257740.tif 000010